(57)【要約】【課題】シンプルな構成で扉体の反りを防止する。【解決手段】枠体に囲まれた開口部６４を開閉する扉体７において、枠体の戸尻側部位（戸尻側縦框６１）には、見付方向に延びる戸尻側突片６１４が開口部６４側に突成されており、扉体７の見付面の戸尻側部位（戸尻側縦框７１の室内側見付面７１３）には、当該戸尻側部位に離間対向して戸尻側に延びる反り規制片８１が設けてあり、扉体７の閉鎖姿勢時には、戸尻側縦框７１の室内側見付面７１３は戸尻側突片６１４の内面に近接対向しており、反り規制片８１は戸尻側突片６１４の外面に近接対向している。【選択図】図５
2020029736.tif 000002
【特許請求の範囲】
【請求項１】
枠体と、
枠体に囲まれた開口部を開閉する扉体と、を備え、
前記枠体の戸尻側部位には、見付方向に延びる戸尻側突片が開口部側に突成されており、
前記扉体の見付面の戸尻側部位には、当該戸尻側部位に離間対向して戸尻側に延びる反り規制片が設けてあり、
扉体の閉鎖姿勢時には、前記扉体の見付面の前記戸尻側部位は前記戸尻側突片の内面に近接対向しており、前記反り規制片は前記戸尻側突片の外面に近接対向している、
開き戸。
【請求項２】
前記反り規制片の基端側には、前記扉体の見付面の前記戸尻側部位に突設された基部が一体形成されており、前記反り規制片は前記基部から戸尻側に向かって前記戸尻側部位にほぼ平行状に延びており、
扉体の閉鎖姿勢時には、前記反り規制片の内面が前記戸尻側突片の外面に近接対向し、前記基部の戸尻側側面は前記戸尻側突片の先端から離間している、
請求項１に記載の開き戸。
【請求項３】
前記反り規制片は、平面視において、前記扉体の軸芯よりも戸尻側に位置しており、
扉体の閉鎖姿勢時には、前記反り規制片と前記戸尻側突片は、平面視において、前記扉体の軸芯よりも戸尻側に位置して近接対向している、
請求項２に記載の開き戸。
【請求項４】
前記扉体は、上側ピボットヒンジ、下側ピボットヒンジによって、前記枠体に枢支されている、請求項１〜３いずれか１項に記載の開き戸。
【請求項５】
前記扉体は、前記反り規制片を設けていない側に開放する、請求項１〜４いずれか１項に記載の開き戸。
【請求項６】
子扉として開き戸を備えた引戸装置であって、
前記枠体は、当該引戸装置の扉体の戸先側縦框、戸尻側縦框、上框、下框から形成されている、
請求項１〜５いずれか１項に記載の開き戸を備えた引戸装置。
【発明の詳細な説明】
【技術分野】
【０００１】
本発明は、開き戸に係り、詳しくは扉体の反り防止構造を備えた開き戸に関するものである。
【背景技術】
【０００２】
開き戸において、扉体の戸尻側の上下２点で扉体を枢支した場合には、扉体の戸尻側の高さ方向の中間部を支持する部材がないことから、扉体が熱を受けた場合に当該扉体に反りが発生するおそれがあることが知られている（特許文献１〜３）。
【０００３】
特許文献１〜３には、このような課題に対応する手段が開示されている。特許文献１〜３では、扉体の戸尻側見込面に反り防止手段を設けることでこの課題に対応している。
【０００４】
特許文献４に記載のような開き扉付き引戸を防火仕様とする場合には、同様に、開き扉の反りも問題が生じ得る。この場合、開き扉は、引戸の扉体内に設けられるため、扉体の反り防止手段は、よりシンプルな構造かつ省スペースで設置できるものであることが望ましい。
【特許文献１】実開昭５７−１２４５９０
【特許文献２】特開平７−２４７７６７
【特許文献３】特開２０１０−２２２９６３
【特許文献４】特開２００９−３５８６３
【発明の開示】
【発明が解決しようとする課題】
【０００５】
本発明は、開き戸において、シンプルな構成で扉体の反りを防止することを目的とするものである。
【課題を解決するための手段】
【０００６】
本発明が採用した技術手段は、
枠体と、
枠体に囲まれた開口部を開閉する扉体と、を備え、
前記枠体の戸尻側部位には、見付方向に延びる戸尻側突片が開口部側に突成されており、
前記扉体の見付面の戸尻側部位には、当該戸尻側部位に離間対向して戸尻側に延びる反り規制片が設けてあり、
扉体の閉鎖姿勢時には、前記扉体の見付面の前記戸尻側部位は前記戸尻側突片の内面に近接対向しており、前記反り規制片は前記戸尻側突片の外面に近接対向している、
開き戸、である。
【０００７】
１つの態様では、前記扉体は、前記反り規制片を設けていない側に開放する。
１つの態様では、前記戸尻側突片は、前記枠体の見付面の戸尻側部位から突成されている。
１つの態様では、前記枠体の戸尻側部位、戸先側部位、上側部位には、開口部に向かって見付方向に延びる戸尻側突片、戸先側突片、上側突片が三方に形成されており、
閉鎖姿勢にある扉体の見付面の戸尻側部位、戸先側部位、上側部位は前記三方の突片の内面に近接対向している。
１つの態様では、扉体の閉鎖姿勢時に、前記扉体の戸先側端面は、高さ方向略中央部位において、ラッチによって前記枠体の戸先側部位に係止している。
【０００８】
１つの態様では、前記反り規制片は、前記戸尻側部位の少なくとも高さ方向の中間部位に設けてある。
１つの態様では、前記反り規制片は、前記戸尻側部位の高さ方向の略中央部位に設けてある。
１つの態様では、前記反り規制片は、前記戸尻側部位の高さ方向（例えば、全高）に亘って設けてある。
１つの態様では、前記反り規制片は、前記戸尻側部位の高さ方向に間隔を存して複数設けてある。
【０００９】
１つの態様では、前記反り規制片の基端側には、前記扉体の見付面の前記戸尻側部位に突設された基部が一体形成されており、前記反り規制片は前記基部から戸尻側に向かって前記戸尻側部位にほぼ平行状に延びており、
扉体の閉鎖姿勢時には、前記反り規制片の内面が前記戸尻側突片の外面に近接対向し、前記基部の戸尻側側面は前記戸尻側突片の先端から離間している。
扉体の閉鎖姿勢時における、前記反り規制片と前記戸尻側突片とのクリアランス、前記基部の戸尻側側面と前記戸尻側突片の先端とのクリアランス、前記扉体の見付面の戸尻側部位と前記戸尻側突片とのクリアランスは、前記扉体の開閉操作を妨げないような寸法に設定されている。
【００１０】
１つの態様では、前記反り規制片は、平面視において、前記扉体の軸芯よりも戸尻側に位置しており、
扉体の閉鎖姿勢時には、前記反り規制片と前記戸尻側突片は、平面視において、前記扉体の軸芯よりも戸尻側に位置して近接対向している。
【００１１】
１つの態様では、前記扉体は、上側ピボットヒンジ、下側ピボットヒンジによって、前記枠体に枢支されている。
【００１２】
１つの態様では、子扉として開き戸を備えた引戸装置であって、
前記枠体は、当該引戸装置の扉体の戸先側縦框、戸尻側縦框、上框、下框から形成されている。
１つの態様では、前記上側ピボットヒンジ、下側ピボットヒンジは、それぞれ、前記上框、前記下框に設けられた中心吊りのピボットヒンジである。
１つの態様では、前記ピボットヒンジはオートヒンジである。
【発明の効果】
【００１３】
本発明では、扉体の通常時（非加熱時）の閉鎖姿勢時には、前記扉体の見付面の戸尻側部位と枠体の戸尻側突片の内面は離間しており、前記扉体の見付面の戸尻側部位に設けた反り規制片と前記戸尻側突片の外面は離間しており、火災時の熱で扉体が加熱されて火元側に反るように変形を開始すると、前記扉体の見付面の前記戸尻側部位と前記戸尻側突片の内面、前記反り規制片と前記戸尻側突片の外面のいずれかが当接して、扉体の反りを規制する。火災時に扉体の反りを規制することで、枠と扉の間に防火上不利な大きな隙間が生じることを防止する。
【図面の簡単な説明】
【００１４】
【図１】子扉としての開き戸を備えた引戸装置（全閉姿勢）を室内側から見た正面図である。
【図２】子扉としての開き戸を備えた引戸装置（全閉姿勢）を室外側から見た正面図である。
【図３】子扉としての開き戸を備えた引戸装置の縦断面図である。
【図４】子扉としての開き戸を備えた引戸装置の横断面図であり、上図は開き戸が閉鎖姿勢にあり、下図は開き戸が開放姿勢にある状態を示している。
【図５】（Ａ）は図４の上図の部分拡大図であり、（Ｂ）は本実施形態に係る反り規制部材を示す図である。
【図６】引戸装置を構成する第１扉体を室内側から見た正面図であり、開き戸を構成する第２扉体は閉鎖姿勢にある。
【図７】引戸装置を構成する第１扉体を室外側から見た正面図であり、開き戸を構成する第２扉体が取り外された状態を示す。
【図８】引戸装置を構成する第１扉体の底面図である。
【図９】図６の部分拡大図である。
【図１０】（Ａ）は、図１０（Ｃ）において、第２扉体の左側で火災が発生した場合の作用説明図である。（Ｂ）従来の第２扉体において、当該第２扉体の左側で火災が発生した場合の作用説明図である。（Ｃ）本実施形態に係る第２扉体を示す縦断面図である。
【発明を実施するための形態】
【００１５】
本発明の実施形態について図面に基づいて説明する。図１は、本実施形態に係る引戸装置（全閉状態）を室内側から見た正面図であって、図２は、同引戸装置を室外側から見た正面図である。本実施形態に係る引戸装置は、子扉としての開き戸を備えている。本実施形態に係る開き戸を備えた引戸装置は防火戸である。より具体的には、引戸装置の第１扉体６は、スライド開閉する自動ドアであり、火災時等による停電で自動ドアが開かないような場合に、開き戸の第２扉体７を開放することで避難可能となっている。なお、本実施形態では、引戸装置の子扉としての開き戸について説明するが、本発明は、通常の開口部に設けられた開き戸や開き戸に設けられた子扉としての開き戸（潜り戸）にも適用できることに留意されたい。
【００１６】
引戸装置は、戸先側縦枠１と、戸尻側縦枠２と、上ケース３と、下枠４と、から形成された枠部と、枠部の幅方向戸尻側半部に設けられた縦長方形状の固定パネル５と、幅方向戸先側半部に形成された建物開口部を開閉する縦長方形状の第１扉体６と、第１扉体６に形成された縦長方形状の開口を開閉する第２扉体７と、を備えている。
【００１７】
図７に示すように、第１扉体６は、第１扉体６の高さ方向に垂直に延びる戸先側縦框６０及び戸尻側縦框６１と、第１扉体６の幅方向に水平に延びる上框６２及び下框６３と、を備え、四周枠状の戸先側縦框６０、戸尻側縦框６１、上框６２、下框６３で囲まれた縦長方形状の開口部６４が形成されている。
【００１８】
図６に示すように、第２扉体７は、第２扉体７の高さ方向に垂直に延びる戸先側縦框７０及び戸尻側縦框７１と、第２扉体７の幅方向に水平に延びる上框７２及び下框７３と、を備え、四周枠状の戸先側縦框７０、戸尻側縦框７１、上框７２、下框７３で囲まれた縦長方形状の開口にはガラスパネル等のパネル７４が嵌め込まれている。
【００１９】
図４に示すように、第１扉体６の戸先側縦框６０は、開口部６４に面する内側見込面６００、第１扉体６の戸先側端面を形成する外側見込面６０１、第１扉体６の閉鎖姿勢において室外側に面する室外側見付面６０２、第１扉体６の閉鎖姿勢において室内側に面する室内側見付面６０３を備えている。第１扉体６の戸先側縦框６０の室内側見付面６０３は内側見込面６００を越えて戸尻側に向かって突出しており、第１扉体６の高さ方向に亘って延びる戸先側突片６０４が形成されている（図６、図７参照）。
【００２０】
図４に示すように、第１扉体６の戸尻側縦框６１は、開口部６４に面する内側見込面６１０、第１扉体６の戸尻側端面を形成する外側見込面６１１、第１扉体６の閉鎖姿勢において室外側に面する室外側見付面６１２、第１扉体６の閉鎖姿勢において室内側に面する室内側見付面６１３を備えている。第１扉体６の戸尻側縦框７１の室内側見付面６１３は内側見込面６１０を越えて戸先側に向かって突出しており、第１扉体６の高さ方向に亘って延びる戸尻側突片６１４が形成されている（図６、図７参照）。本実施形態では、戸尻側縦框６１（室外側見付面６１２、室内側見付面６１３）の幅寸法は、戸先側縦框６０の幅寸法（室外側見付面６０２、室内側見付面６０３）よりも大きいが、これには限定されない。
【００２１】
図３に示すように、第１扉体６の上框６２は、開口部６４に面する下面６２０、第１扉体６の上端面を形成する上面６２１、第１扉体６の閉鎖姿勢において室外側に面する室外側見付面６２２、第１扉体６の閉鎖姿勢において室内側に面する室内側見付面６２３を備えている。第１扉体６の上框６２の室内側見付面６２３は下面６２０を越えて下方に突出しており、第１扉体６の幅方向に亘って延びる上側突片６２４が形成されている（図６、図７参照）。図示の態様では、戸先側縦框６０、戸尻側縦框６１の上端面は、上框６２の上面６２１と一致しており、上框６２の上面６２１と共に第１扉体６の上端面を形成している（図６、図７参照）。
【００２２】
図７、図８に示すように、第１扉体６の下框６３は、第１扉体６の幅方向に延びる平面視細幅状のフラットバー６３０と、フラットバー６３０の長さ方向両端に一体形成された肉厚部６３１と、からなり、肉厚部６３１において、戸先側縦框６０、戸尻側縦框６１の下端面に螺子Ｓで固定されている。フラットバー６３０の上面が下框６３の上面６３００として開口部６４に面している。フラットバー６３０の下面と肉厚部６３１の下面は共通の水平面６３２を形成しており、この水平面６３２が第１扉体６の下面となっている。下框６３の肉厚部６３１には、振れ止め樹脂製ガイド６３３が設けてある。
【００２３】
図４に示すように、第２扉体７の戸先側縦框７０は、内側見込面７００と、第２扉体７の閉鎖姿勢において第１扉体６の戸先側縦框６０の内側見込面６００に近接対向する外側見込面７０１と、第２扉体７の閉鎖姿勢において室外側に面する室外側見付面７０２と、第２扉体７の閉鎖姿勢において室内側に面する室内側見付面７０３と、を備えている。戸先側縦框７０の内側見込面７００には第２扉体７の高さ方向に延びる凹溝が形成されており、パネル７４の戸先側端部が嵌め込まれている。
【００２４】
図４に示すように、第２扉体７の戸尻側縦框７１は、内側見込面７１０と、第２扉体７の閉鎖姿勢において第１扉体６の戸尻側縦框６０の内側見込面６１０に近接対向する外側見込面７１１と、第２扉体７の閉鎖姿勢において室外側に面する室外側見付面７１２と、第２扉体７の閉鎖姿勢において室内側に面する室内側見付面７１３と、を備えている。戸尻側縦框７１の内側見込面７１０には第２扉体７の高さ方向に延びる凹溝が形成されており、パネル７４の戸尻側端部が嵌め込まれている。戸尻側縦框７１の室内側見付面７１３には、第２扉体７が火災時の熱で加熱された時に、第２扉体７の反りを防止する反り規制部材８が設けてある。
【００２５】
図３に示すように、第２扉体７の上框７２は、下面７２０と、第２扉体７の上端面を形成し、第２扉体７の閉鎖姿勢において第１扉体６の上框６２の下面６２０に近接対向する上面７２１と、第２扉体７の閉鎖姿勢において室外側に面する室外側見付面７２２と、第２扉体７の閉鎖姿勢において室内側に面する室内側見付面７２３と、を備えている。上框７２の下面７２０には第２扉体７の幅方向に延びる凹溝が形成されており、パネル７４の上側端部を凹溝に受け入れた状態で上側押縁７２４を取り付けることで、パネル７４の上側端部を挟み込んで固定している。
【００２６】
図３に示すように、第２扉体７の下框７３は、上面７３０と、第２扉体７の下端面を形成し、第２扉体７の閉鎖姿勢において第１扉体６の下框６３の上面６３００に近接対向する下面７３１と、第２扉体７の閉鎖姿勢において室外側に面する室外側見付面７３２と、第２扉体７の閉鎖姿勢において室内側に面する室内側見付面７３３と、を備えている。下框７３の上面７３０には第２扉体７の幅方向に延びる凹溝が形成されており、パネル７４の下側端部を凹溝に受け入れた状態で下側押縁７３４を取り付けることで、パネル７４の下側端部を挟み込んで固定している。
【００２７】
図４に示すように、枠部の戸先側縦枠１の見込面１０には平面視凹状の凹部１００が形成されており、引戸装置が閉鎖状態にある時、すなわち、第１扉体６が閉鎖姿勢にある時には、第１扉体６の戸先側端面（外側見込面６０１）が凹部１００の底面に近接しており、第１扉体６の戸先側部位（戸先側縦框６０、上框６２、下框６３の戸先側部位）が凹部１００内に位置するようになっている。
【００２８】
図４に示すように、第１扉体６の閉鎖姿勢において、第１扉体６の戸尻側縦框６１の室外側見付面６１２は、固定パネル５の戸先側縦框５０の室内側見付面５００に離間対向している。戸尻側縦框６１の室外側見付面６１２の戸尻側には、室外側見付面６１２に離間対向して戸先側に延びる扉体側隙間塞ぎ片６１５が形成されており、扉体側隙間塞ぎ片６１５は第１扉体６の高さ方向に亘って延びている。固定パネル５の戸先側縦框５０の室内側見付面５００には、室内側見付面５００に対向して戸尻側に向かって延びる固定パネル側隙間塞ぎ片５０１が形成されており、固定パネル側隙間塞ぎ片５０１は固定パネル５の高さ方向に亘って延びている。第１扉体６が閉鎖姿勢にある時に、扉体側隙間塞ぎ片６１５と固定パネル側隙間塞ぎ片５０１があいじゃくり状に係わり合って、第１扉体６の戸尻側縦框６１の室外側見付面６１２と固定パネル５の戸先側縦框５０の室内側見付面５００との間の隙間における火炎流動抵抗手段を形成している。第１扉体６が開放姿勢にある時には、第１扉体６は固定パネル５の室内側に位置して納まるようになっている。図４上図に、開放姿勢にある第１扉体６の戸尻側端面を６１１´で示す。
【００２９】
上ケース３は、上面３０と、室外側見付面３１と、室内側見付面３２と、室外側見付面３１の下方に形成した室外側下面３３と、室内側見付面３２の下方に形成した室内側下面３４とを備え、全体として開口幅方向に延びる箱状体であり、内部空間には、第１扉体６の移動機構が設けてある。上ケース３の室外側下面３３と室内側下面３４の間には、開口幅方向に延びる開口が形成されており、当該開口に第１扉体６の上端部位（上框６２の上側部位、戸先側縦框６０の上端部位、戸尻側縦框６１の上端部位）を、クリアランスを設けた状態で受け入れるようになっており、第１扉体６の上端面（上框６２の上面６２１）は、室外側下面３３と室内側下面３４の上方に位置している。第１扉体６の上端面（上框６２の上面６２１）には、火炎流動抵抗部材９が固定されており、クリアランスを通る煙の流動や火炎の回りを遅延させ、また、抵抗を与えるようになっている。
【００３０】
第１扉体６は上吊式引戸であり、上端面（上框６２の上面６２１）には、戸先側部位と、戸尻側部位にそれぞれ戸車１１が設けてあり、戸車１１が上ケース３の内部空間の下側部位に位置して開口幅方向に延びるレール１２上を転動することで、第１扉体６は、開口幅方向に移動する。本実施形態に係る引戸装置は自動ドアであって、例えば、戸先側の戸車１１が駆動側戸車となっており、駆動側戸車が電動モータ１３と伝動機構によって回転駆動することで、第１扉体６は開口幅方向に移動するようになっている。引戸装置は自閉装置を備えていてもよい。
【００３１】
より具体的には、引戸装置は、開口部上方に位置して、上ケース３の室外側見付面３１、室内側見付面３２にそれぞれ設けた起動センサｄ１と、第１扉体６の戸先側縦框６０の室外側見付面６０２、室内側見付面６０３にそれぞれ設けたタッチスイッチｄ２及び手動開閉操作用の取手ｄ３と、戸先側縦枠１と戸尻側縦枠２の間、戸先側縦枠１と固定パネル５の戸先側縦框５０の間に検知用光線を生成する光電センサｄ４と、を備えている。例えば、通行者がタッチセンサｄ２に接触することで、電動モータ１３に開放信号が送信され、閉鎖姿勢にある第１扉体６がスライド開放する。通行者が開口部内にいる時には、光電センサｄ４の検知によって、開放姿勢にある第１扉体６のスライド閉鎖が規制されている。さらに、起動センサｄ１が通行者を検知している間は、開放姿勢にある第１扉体６のスライド閉鎖が規制されている。光電センサｄ４、起動センサｄ１が検知状態から非検知状態となった時に、開放姿勢にある第１扉体６は、自閉装置あるいは電動モータ１３によってスライド閉鎖する。手動開閉操作用取手ｄ３は、例えば、停電時に、第１扉体６の手動開閉操作を行うためのものである。なお、起動センサｄ１の検知によって閉鎖姿勢にある第１扉体６をスライド開放させてもよい。
【００３２】
図３に示すように、第１扉体６の下端に設けた振れ止め樹脂製ガイド６３３が下枠４の上面４０に形成された凹状のガイド溝４００内に位置しており、第１扉体６の移動時には、振れ止め樹脂製ガイド６３３がガイド溝４００に沿って移動するようになっている。下框６３のフラットバー６３０は、凹状のガイド溝４００よりも下方に位置しているので、第２扉体７を開放した時に、下框６３が通行の妨げにならない。
【００３３】
第１扉体６は子扉としての第２扉体７を備えており、第２扉体７は戸尻側が第１扉体６に枢支されている。例えば、火災時等による停電で自動ドアである第１扉体６が開かないような場合に、開き戸の第２扉体７を開放することで避難可能となっている。第１扉体６の上框６２、下框６３の戸尻側部位には、開き戸である第２扉体７の戸尻側縦框７１が上側ヒンジＰＵ、下側ヒンジＰＬによって回動可能に連結されており、第２扉体７によって開口部６４を開閉するようになっている。第２扉体７の枢支手段は、上側ヒンジＰＵ、下側ヒンジＰＬのみから構成されており、第２扉体７の高さ方向の中間部位にヒンジは存在しない。
【００３４】
具体的には、第２扉体７の戸尻側縦框７１の上端に第１扉体６の上框６２の下面６２０の戸尻側部位を枢着するように上側ヒンジＰＵが設けてあり、第２扉体７の戸尻側縦框７１の下端に第１扉体６の下框６３の戸尻側部を枢着するように下側ヒンジＰＬが設けてある。上側ヒンジＰＵ、下側ヒンジＰＬはピボットヒンジであり、戸尻側縦框７１の上端、下端の除く部位には回動支点となるヒンジ要素は設けられていない。本実施形態では、上側ヒンジＰＵ、下側ヒンジＰＬはいわゆる中心吊りのピボットヒンジであり、上側ヒンジＰＵ、下側ヒンジＰＬは共に、平面視において第２扉体７（戸尻側縦框７１）の厚さ内に納まっている。図５（Ａ）では、上下のピボットヒンジの軸芯Ｐを表示している。本実施形態では、第２扉体７を、枢支手段（上側ヒンジＰＵ、下側ヒンジＰＬ）を含め、第１扉体６の厚さ内に納めることで、子扉として第１扉体６に設けた第２扉体７が引戸装置としての第１扉体６の移動に支障を来さないようになっている。本実施形態では、上側ヒンジＰＵ、下側ヒンジＰＬは、ヒンジ機能と自閉機能を備えたいわゆるオートヒンジである。なお、本実施形態では、中心吊りのオートヒンジを用いているが、本発明に適用され得るヒンジは限定されず、持ち出し状の上下のピボットヒンジや上下の丁番でもよい。
【００３５】
下側ヒンジＰＬは、水平板状部６３４０と垂直板状部６３４１からＬ形状に形成された支持部材６３４に支持されている。支持部材６３４は、第１扉体６の下框６３の戸尻側部位に設けてある。図９に示すように、第２扉体７の戸尻側縦框７１の室外側見付面７１２、室内側見付面７１３の下端には、支持部材６３４の水平板状部６３４０を受け入れるための切り欠きＣが形成されている。戸尻側縦框６１の戸尻側突片６１４の下端には、戸尻側突片６１４の先端からさらに開口部６４の中央に向かって突出する塞ぎ板６１７が設けてあり、第２扉体７が閉鎖姿勢にある時に、塞ぎ板６１７が切り欠きＣを塞ぐようになっている。
【００３６】
第２扉体７が閉鎖姿勢にある時には、第２扉体７の戸先側縦框７０の外側見込面７０１が第１扉体６の戸先側縦框６０の内側見込面６００に近接対向し、戸尻側縦框７１の外側見込面７１１が第１扉体６の戸尻側縦框６１の内側見込面６１０に対向している。第２扉体７の戸先側縦框７０の高さ方向の略中央部位にはラッチ錠が内蔵されており、第２扉体７が閉鎖姿勢にある時には、ラッチＬが外側見込面７０１から突出して、第１扉体６の内側見込面６００に設けたラッチ受け６００Ｌに係止している。第２扉体７の戸先側縦框７０の室外側見付面７０２、室内側見付面７０３に設けたハンドルＨの操作によって、ラッチＬとラッチ受け６００Ｌの係止状態を解除することで、第２扉体７の開放が可能となる。
【００３７】
本実施形態では、第２扉体７の戸尻側縦框７１の外側見込面７１１と第１扉体６の内側見込面６１０との間の隙間は、第２扉体７の戸先側縦框７０の外側見込面７０１と第１扉体６の戸先側縦框６０の内側見込面６００との間の隙間よりも大きい。第１扉体６の戸尻側縦框６１の室外側見付面６１２は、内側見込面６１０を越えて戸先側（開口部６４）に向かって突出する突起６１６が形成されている。第１扉体６の突起６１６が、第２扉体７の戸尻側縦框７１の外側見込面７１１と第１扉体６の内側見込面６１０との間の隙間の室外側部位の開口を狭めている。このように開口を狭めて枠と扉の隙間を小さくすることで、指挟みを防止すると共に、意匠性を向上させている。第２扉体７の戸尻側縦框７１の外側見込面７１１の室内側部位は、戸先側に向かって平面視傾斜状に延びる傾斜面７１１Ａとなっている（図５（Ａ）参照）。
【００３８】
第１扉体６の開口部６４の周縁には、正面視において、左右の高さ方向に延びる縁部（戸先側突片６０４、戸尻側突片６１４）、上側の幅方向に延びる縁部（上側突片６２４）から三方に亘る周縁部が形成されている。なお、戸先側突片６０４、戸尻側突片６１４、上側突片６２４の先端は丸みをつけてある。第２扉体７が閉鎖姿勢にある時に、第２扉体７の室内側見付面の周縁は、三方に亘って第１扉体６の開口部６４の周縁部に近接対向しており、いわゆる相じゃやくり構造を形成している。具体的には、第２扉体７の戸先側縦框７０室内側見付面７０３の戸先側部位が、第１扉体６の戸先側縦框６０の戸先側突片６０４に近接対向し、第２扉体７の戸尻側縦框７１の室内側見付面７１３の戸尻側部位が、第１扉体６の戸尻側縦框６１の戸尻側突片６１４に近接対向し、第２扉体７の上框７２の室内側見付面７２３の上側部位が、第１扉体６の上框６２の上側突片６２４に近接対向している。
【００３９】
第２扉体７からなる開き戸の戸尻側の構成について、より具体的に説明する。図５（Ａ）に示すように、第２扉体７が閉鎖姿勢にある時に、第２扉体７の戸尻側縦框７１の外側見込面７１１が、第１扉体６の内側見込面６１０に離間対向しており、外側見込面７１１の室内側の傾斜面７１１Ａは、内側見込面６１０の室内側部位及び戸尻側突片６１４に面している。戸尻側突片６１４の内面の先端側は、戸尻側縦框７１の室内側見付面７１３の戸尻側部位に離間対向している。第２扉体７の閉鎖姿勢時において、戸尻側縦框７１の戸尻側部位（外側見込面７１１、傾斜面７１１Ａ、室内側見付面７１３の部分、室外側見付面７１２の部分）は、戸尻側突片６１４の先端よりも、第１扉体６側に位置している。本実施形態では、戸尻側縦框６１の戸尻側突片６１４の突出寸法は、戸先側縦框６０の戸先側突片６０４の突出寸法よりも大きい。
【００４０】
戸尻側縦框７１の室内側見付面７１３の高さ方向の略中央部位には、反り規制部材８が設けてある。図５に示すように、反り規制部材８は、第２扉体７の戸尻側縦框７１の室内側見付面７１３に、例えば螺子を用いて、固定される基部８０と、基部８０に一体形成され、基部８０によって室内側見付面７１３から室内側に持ち出され、室内側見付面７１３に離間対向して見付方向に戸尻側に向かって延びる反り規制片８１と、からなる。反り規制片８１は、戸尻側縦框６１の室内側見付面６１３、戸尻側突片６１４に対して、外側に位置して対向している。すなわち、反り規制片８１の内面が戸尻側突片６１４に離間対向している。基部８０は、所定の厚み（室内側見付面７１３から離間する方向）を備えたブロック体であり、室内側見付面７１３に対して突設されている。基部８０は、平面視において、戸尻側に近い側の第１側面８００と、戸尻側から遠い側の第２側面８０１を備えており、第１側面８００の室内側見付面７１３から離間した側から反り規制片８１が延出しており、第２側面８０１の室内側見付面７１３から離間した側は傾斜面８０２となっており角部を鈍角としているが、かつ角部に丸みをもたせている。反り規制片８１の先端は丸みが付いた曲面となっている。
【００４１】
第２扉体７の通常の状態（非加熱状態）では、反り規制片８１の内面８１０は、戸尻側突片６１４の外面に離間対向している。戸尻側突片６１４の先端と基部８０の戸尻側の第１側面８００は離間している。反り規制部材８の反り規制片８１は、平面視において、第２扉体７の軸芯Ｐよりも戸尻側に位置しており、第２扉体７の閉鎖姿勢時には、反り規制片８１と戸尻側突片６１４は、平面視において、第２扉体７の軸芯Ｐよりも戸尻側に位置して近接対向している。
【００４２】
本実施形態では、反り規制部材８は、第２扉体７の室内側見付面７１３の戸尻側部位の少なくとも高さ方向の中間部位、より具体的には、高さ方向の略中央部位に１つ設けてある。反り規制部材８は、第２扉体７の室内側見付面７１３の戸尻側部位の高さ方向（例えば、全高）に亘って設けてもよい。また、反り規制部材８は、第２扉体７の室内側見付面７１３の戸尻側部位の高さ方向に間隔を存して複数設けてもよい。
【００４３】
第２扉体７は、反り規制片８１が設けられた側とは反対側（反り規制片８１が露出する空間と反対側の空間）に回動することで、開口部６４を開放するようになっている。第２扉体７の通常（非加熱時）の閉鎖姿勢時には、第２扉体７の室内側見付面７１３の戸尻側部位と戸尻側縦框６１の戸尻側突片６１４の内面は離間しており、反り規制部材８の反り規制片８１と戸尻側突片６１４の外面は離間している。第２扉体７の閉鎖姿勢時における、反り規制部材８の反り規制片８１と戸尻側突片６１４とのクリアランス、反り規制部材８の基部８０の第１側面８００と戸尻側突片６１４の先端とのクリアランス、第２扉体７の室内側見付面７１３の戸尻側部位と戸尻側突片６１４とのクリアランスは、第２扉体７の回動を妨げないような寸法に設定されている。
【００４４】
火災時の熱で第２扉体７が加熱されて火元側に反るように変形しようとするが、この時、第２扉体７の戸先側においては、第２扉体７の戸先側縦框７０から突出するラッチＬが戸先側縦框６０のラッチ受け６００Ｌに係止することで、第２扉体７の戸先側の反りが規制される。
【００４５】
第２扉体７の戸尻側においては、室外側に火元がある場合には、反り規制部材８の反り規制片８１が戸尻側突片６１４の外面に当接することで、第２扉体７の反りを規制し、室内側に火元がある場合には、第２扉体７の室内側見付面７１３の戸尻側部位がと戸尻側突片６１４の内面に当接することで、第２扉体７の反りを規制する。
【００４６】
図１０（Ｃ）は、本実施形態に係る開き戸を示す縦断面図であり、図１０（Ａ）は、図１０（Ｃ）において、第２扉体７の左側で火災が発生した場合の作用説明図である。火災時の熱によって第２扉体７が僅かに沿った時点で反り規制部材８が第１扉体６の戸尻側縦框６１の突片６１４に当接することで、第２扉体７の反りが規制される。これに対して、図１０（Ｂ）の従来の開き戸を備えた引戸では、開き戸の第２扉体７´の左側で火災が発生した場合には、第２扉体７´は、引戸の第１扉体６´に対して火災側へ反るように変形することになる。そのため、枠と扉の間から炎が出て、延焼のおそれがある。
【符号の説明】
【００４７】
６  第１扉体
６０  戸先側縦框（枠体）
６０４  戸先側突片
６１  戸尻側縦框（枠体）
６１４  戸尻側突片
６２  上框（枠体）
６２４  上側突片
６３  下框（枠体）
６４  開口部
７  第２扉体（扉体）
７０  戸先側縦框
７０３  室内側見付面
７１  戸尻側縦框
７１３  室内側見付面
７２  上框
７２３  室内側見付面
７３  下框
８  反り規制部材
８０  基部
８００  第１側面（戸尻側側面）
８１  反り規制片
Ｐ  軸心
ＰＵ  上側ピボットヒンジ
ＰＬ  下側ピボットヒンジ
【図１】
2020029736.tif 000003
【図２】
2020029736.tif 000004
【図３】
2020029736.tif 000005
【図４】
2020029736.tif 000006
【図５】
2020029736.tif 000007
【図６】
2020029736.tif 000008
【図７】
2020029736.tif 000009
【図８】
2020029736.tif 000010
【図９】
2020029736.tif 000011
【図１０】
2020029736.tif 000012